(57)【要約】【課題】原稿搬送機構に準備された原稿について意図しないプレスキャン動作が実行されることを防止する。【解決手段】原稿読取装置としての複合機１は、読取ユニット３において、原稿を載置する原稿台４ａと、複数の原稿を搬送する自動原稿搬送装置５（ＡＤＦ５）と、原稿を読み取るＣＩＳ７１と、原稿搬送機構に原稿が準備されたか否かを検出するセンサ１０１とが設けられている。複合機１を制御するプログラムでは、スキャン動作に先立って行われるプレスキャン動作の実行指示を取得した場合、センサ１０１により原稿の準備が検出されたか否かを確認し、原稿の準備検出が確認された場合にプレスキャン動作の禁止処理を実行する。一方、原稿の準備が確認されない場合にはプレスキャン動作の許可処理を実行する。【選択図】図５
2007266913.tif 000002
【特許請求の範囲】
【請求項１】
原稿を載置する原稿台と、複数の原稿を搬送する原稿搬送機構と、前記原稿を読み取る読取手段と、前記原稿搬送機構に原稿が準備されたか否かを検出する検出手段と、を備えた原稿読取装置を制御するコンピュータ読取可能なプログラムであって、
コンピュータに、
前記読取手段によるスキャン動作に先立って行われるプレスキャン動作の実行指示を取得する取得ステップと、
前記プレスキャン動作の実行指示があった場合に、前記検出手段により前記原稿の準備が検出されたか否かを確認する確認ステップと、
前記確認ステップにて前記原稿の準備検出が確認された場合に前記プレスキャン動作の禁止処理を制御手段に実行させる禁止ステップと、
前記確認ステップにて前記原稿の準備が確認されない場合に前記プレスキャン動作の許可処理を前記制御手段に実行させる許可ステップと、
を実行させるためのプログラム。
【請求項２】
前記禁止ステップは、表示手段に警告表示を行わせる警告表示ステップを備えることを特徴とする請求項１に記載のプログラム。
【請求項３】
前記禁止ステップは、
前記確認ステップにて前記原稿の準備が確認された場合に、前記プレスキャン動作の実行前に、前記原稿搬送機構を用いたプレスキャン動作を実行するか否かを選択する選択画面を表示手段に表示させる実行選択ステップと、
前記実行選択ステップにて実行が選択された場合、前記原稿搬送機構を用いたプレスキャン動作の実行を許可する禁止解除ステップと、
を備えることを特徴とする請求項２に記載のプログラム。
【請求項４】
前記スキャン動作と、前記プレスキャン動作とを選択する選択画面を表示手段に表示させる動作選択ステップと、
前記動作選択ステップにて前記プレスキャン動作が選択されたか否かを判断する判断ステップと、
を備え、
前記判断ステップにて前記プレスキャン動作が選択されたと判断され、かつ前記確認ステップにて前記原稿の準備が確認された場合に、前記禁止ステップを実行することを特徴とする請求項１ないし請求項３のいずれかに記載のプログラム。
【請求項５】
前記原稿読取装置は、前記読取手段が、前記原稿搬送機構に準備される原稿の読み取りを、前記原稿台に載置される原稿の読み取りよりも優先して行うものであることを特徴とする請求項１ないし請求項４のいずれかに記載のプログラム。
【請求項６】
原稿を載置する原稿台と、複数の原稿を搬送する原稿搬送機構と、前記原稿を読み取る読取手段と、前記原稿搬送機構に原稿が準備されたか否かを検出する検出手段と、を備えた原稿読取装置と、
前記読取手段によるスキャン動作に先立って行われるプレスキャン動作の実行指示を取得する取得手段と、
前記プレスキャン動作の実行指示があった場合に、前記検出手段により前記原稿の準備が検出されたか否かを確認する確認手段と、
前記確認手段にて前記原稿の準備検出が確認された場合に前記プレスキャン動作の禁止処理を実行し、前記原稿の準備が確認されない場合に前記プレスキャン動作の許可処理を実行する制御手段と、
を備えたことを特徴とする原稿読取システム。
【発明の詳細な説明】
【技術分野】
【０００１】
本発明は、原稿読取装置を制御するコンピュータ読取可能なプログラム及び原稿読取システムに関する。
【背景技術】
【０００２】
従来より、原稿読取装置によってスキャン動作を行うにあたり、スキャン動作に先立ってプレスキャン動作を行う構成が提供されている。このようなプレスキャン動作によれば、ユーザがスキャン動作前に大まかなレイアウトを確認できたり、或いはスキャン動作する場所を指定できることとなるため、ユーザにとって利便性が高まる。
【特許文献１】特開２００２−２４７３０３公報
【発明の開示】
【発明が解決しようとする課題】
【０００３】
しかしながら、プレスキャン動作が実行可能な構成の場合、意図しない状況でプレスキャン動作が実行されてしまう虞がある。例えば、原稿搬送機構に多量の原稿が準備されているにもかかわらず自動的にプレスキャン動作が実行されてしまうと、ユーザはすべての原稿に対するプレスキャン動作が終了するまで他の動作（本スキャン動作など）を行うことができなくなってしまう。このような構成とすると、ユーザが原稿搬送機構に準備された原稿のプレスキャン動作を全く望まない場合には特に不便である。また、原稿搬送機構の原稿に対して意図しないプレスキャン動作が実行された場合、本スキャン動作を行う前に自動搬送された原稿を再び原稿搬送機構に準備し直さなければならないというデメリットもある。
【０００４】
本発明は上記のような事情に基づいて完成されたものであって、原稿搬送機構に準備された原稿について意図しないプレスキャン動作が実行されることを防止する構成を提供することを目的とする。
【課題を解決するための手段】
【０００５】
上記の目的を達成するための手段として、請求項１の発明に係る画像形成装置は、原稿を載置する原稿台と、複数の原稿を搬送する原稿搬送機構と、前記原稿を読み取る読取手段と、前記原稿搬送機構に原稿が準備されたか否かを検出する検出手段と、を備えた原稿読取装置を制御するコンピュータ読取可能なプログラムであって、コンピュータに、前記読取手段によるスキャン動作に先立って行われるプレスキャン動作の実行指示を取得する取得ステップと、前記プレスキャン動作の実行指示があった場合に、前記検出手段により前記原稿の準備が検出されたか否かを確認する確認ステップと、前記確認ステップにて前記原稿の準備検出が確認された場合に前記プレスキャン動作の禁止処理を制御手段に実行させる禁止ステップと、前記確認ステップにて前記原稿の準備が確認されない場合に前記プレスキャン動作の許可処理を前記制御手段に実行させる許可ステップと、を実行させる構成をなしている。
【０００６】
請求項２の発明は、請求項１に記載のプログラムにおいて、前記禁止ステップは、表示手段に警告表示を行わせる警告表示ステップを備えることを特徴とする。
【０００７】
請求項３の発明は、請求項２に記載のプログラムにおいて、前記禁止ステップは、前記確認ステップにて前記原稿の準備が確認された場合に、前記プレスキャン動作の実行前に、前記原稿搬送機構を用いたプレスキャン動作を実行するか否かを選択する選択画面を表示手段に表示させる実行選択ステップと、前記実行選択ステップにて実行が選択された場合、前記原稿搬送機構を用いたプレスキャン動作の実行を許可する禁止解除ステップと、を備えることを特徴とする。
【０００８】
請求項４の発明は、請求項１ないし請求項３のいずれかに記載のプログラムにおいて、前記スキャン動作と、前記プレスキャン動作とを選択する選択画面を表示手段に表示させる動作選択ステップと、前記動作選択ステップにて前記プレスキャン動作が選択されたか否かを判断する判断ステップと、を備え、前記判断ステップにて前記プレスキャン動作が選択されたと判断され、かつ前記確認ステップにて前記原稿の準備が確認された場合に、前記禁止ステップを実行することを特徴とする。
【０００９】
請求項５の発明は、請求項１ないし請求項４のいずれかに記載のプログラムにおいて、前記原稿読取装置は、前記読取手段が、前記原稿搬送機構に準備される原稿の読み取りを、前記原稿台に載置される原稿の読み取りよりも優先して行うものであることを特徴とする。
【００１０】
請求項６の発明は、原稿を載置する原稿台と、複数の原稿を搬送する原稿搬送機構と、前記原稿を読み取る読取手段と、前記原稿搬送機構に原稿が準備されたか否かを検出する検出手段と、を備えた原稿読取装置と、前記読取手段によるスキャン動作に先立って行われるプレスキャン動作の実行指示を取得する取得手段と、前記プレスキャン動作の実行指示があった場合に、前記検出手段により前記原稿の準備が検出されたか否かを確認する確認手段と、前記確認手段にて前記原稿の準備検出が確認された場合に前記プレスキャン動作の禁止処理を実行し、前記原稿の準備が確認されない場合に前記プレスキャン動作の許可処理を実行する制御手段と、を備えたことを特徴とする。
【発明の効果】
【００１１】
＜請求項１，６の発明＞
請求項１，６の発明によれば、原稿搬送機構に原稿が準備された状態でプレスキャン動作の実行指示があった場合に、原稿搬送機構の原稿についてプレスキャン動作が禁止される。従って、原稿搬送機構に準備された原稿についてプレスキャン動作が実行されてしまうことによる弊害を効果的に防止できる。
【００１２】
＜請求項２の発明＞
請求項２の発明によれば、プレスキャン動作を実行する際に原稿搬送機構に原稿が準備されていたとしても、ユーザがそれを即座に察知でき、適切に対処しやすくなる。
【００１３】
＜請求項３の発明＞
請求項３の発明によれば、プレスキャン動作を実行する際に原稿搬送機構に原稿が準備されていた場合に、プレスキャン動作を続行するか否かをユーザに判断させることができる。従って、ユーザにとって利便性の高い構成となる。
【００１４】
＜請求項４の発明＞
請求項４の発明によれば、当該プログラムによってプレスキャン動作の選択が把握できるため、プレスキャン動作選択時に原稿の準備が確認された場合に適切に禁止処理を行うことができる。
【００１５】
＜請求項５の発明＞
請求項５の発明のように、原稿搬送機構に準備される原稿の読み取りを原稿台に載置される原稿の読み取りよりも優先して行う読取手段の場合、原稿搬送機構に原稿が準備された場合に優先してプレスキャン動作が実行されてしまうため不要なプレスキャン動作が行われやすくなる。本発明では、このような構成において不要なプレスキャン動作を効果的に防止できより一層有効である。
【発明を実施するための最良の形態】
【００１６】
本発明の実施形態１を図面を参照しつつ説明する。
１．全体構成
複合機１は原稿読取装置の一例に相当するものであり、プリンタ機能、スキャナ機能、コピー機能等を備えており、図１はその外観を示す斜視図である。また、図２は、読取ユニット３を開けた状態を示す複合機１の斜視図である。
この複合機１は、フィーダ部２１及び画像形成部２２等（図３参照）を内蔵する画像形成ユニット２と、自動搬送原稿読取ユニット（以下「読取ユニット３」ともいう）とを備えている。図１、図２に示すように、読取ユニット３は、上面に原稿を載置する矩形状の原稿台４ａが設けられた画像読取装置４と、その原稿台４ａを覆うように配される自動原稿搬送装置５（以下「ＡＤＦ５」ともいう）とを備えて構成されている。図２に示すように、読取ユニット３は、上記操作部６とは反対側の後端部が画像形成ユニット２の上面後端側において回動可能に軸支されている。なお、自動原稿搬送装置５は、複数の原稿を搬送する原稿搬送機構の一例に相当する。
【００１７】
画像読取装置４の一端側（図１で紙面右下方向）には、ユーザによる各種の操作が可能な操作部６が設けられている。操作部６は、モード選択スイッチ９６、スタートキー９７、各種の操作ボタン９８、液晶表示パネル９９、が設けられている。モード選択スイッチ９６は、コピーモードを選択するためのコピーモードキー９６ａ、ＦＡＸ（ファックス）モードを選択するためのＦＡＸモードキー９６ｂ、スキャナモードを選択するためのスキャナモードキー９６ｃの３つのモードキーが左右に並んで設けられている。スタートキー９７は、機能モードに応じた動作を開始させるためのスイッチである。
【００１８】
液晶表示パネル９９は、操作ボタン９８等の操作で各種の設定に関する表示がされるようになっている。
【００１９】
また、この操作部６の下側の位置には排紙トレイ２ａ（図３：後述）に連なって開口した用紙取り出し孔７が形成されている。その用紙取り出し孔７の下側には水平方向に伸びるスリット状の開口した手差給紙口８が形成されており、更にその下側には、給紙カセット９が設けられ、操作部６等が配された面と同じ面側から着脱可能に取り外せるようになっている。
なお、以下の説明では、複合機１について、操作部６が設けられた面側（図１で紙面右下方向）を「前方」、その反対側（図１で紙面左上方向）を「後方」とする。
【００２０】
（画像形成ユニット）
画像形成ユニット２の各構成について、図３を参照しつつ説明する。図３は、複合機１を給紙ローラ２５等の軸方向から見た要部側断面図であり、同図において紙面右側が複合機１の前方であり、紙面左側が複合機１の後方となる。
【００２１】
画像形成ユニット２のケーシング２０内には、用紙Ｗを給紙するためのフィーダ部２１や、給紙された用紙Ｗに所定の画像を形成するための画像形成部２２などが備えられている。また、画像形成部２２の上部には、画像形成部２２により画像形成され、排出された用紙Ｗを保持するために用いられる排紙トレイ２ａが配されている。
【００２２】
フィーダ部２１は、給紙カセット９と、給紙カセット９内に設けられた揺動可能な用紙押圧板（図示略）と、給紙カセット９の前端側端部の上方に設けられる給紙ローラ２５などによって構成されている。給紙カセット９は、ケーシング２０内の下方側において着脱可能に装着されており、この中に用紙Ｗを積層して収納するために用いられる。給紙カセット９では、給紙ローラ２５によって最上位の用紙Ｗが順次送られる。
【００２３】
レジストローラ２９は、１対のローラから構成されており、給紙ローラ２５の近傍に配置された図示しない位置センサによる検知タイミングに基づいて、駆動および停止の動作が制御装置（図示略）により制御される。そして、この制御により用紙Ｗの斜行が修正される。
【００２４】
画像形成部２２は、スキャナユニット４０、プロセスユニット４１、定着ユニット４２などを備えている。スキャナユニット４０は、ケーシング２０内の上部に設けられ、レーザ発光部（図示省略）、ポリゴンモータ４３により回転駆動されるポリゴンミラー４４、レンズ４５および４６、反射鏡４７および４８などを備えており、レーザ発光部から発光される所定の画像データに基づくレーザビームを、ポリゴンミラー４４、レンズ４５、反射鏡４７、レンズ４６、反射鏡４８の順に通過あるいは反射させて、後述するプロセスユニット４１における感光体ドラム５２の表面上に高速走査にて照射させている。
【００２５】
複合機１には、画像形成ユニット２の本体部に対して着脱可能なプロセスユニット４１が設けられている。プロセスユニット４１は、ドラムカートリッジ５０と、現像カートリッジ５１とから構成されている。
【００２６】
プロセスユニット４１のうち、ドラムカートリッジ５０には、感光体ドラム５２、スコロトロン型帯電器５３、転写ローラ５４を備えている。また、現像カートリッジ５１には、現像ローラ５５、現像ローラ５５上に圧接される層厚規制ブレード５６、トナー供給ローラ５７およびトナー（現像剤）が充填されるトナーボックス５８などを備えている。
【００２７】
感光体ドラム５２は、現像ローラ５５の側方位置において、その現像ローラ５５と対向するような状態で時計方向に回転可能に配設されている。
スコロトロン型帯電器５３は、正帯電用のスコロトロン型の帯電器である。感光体ドラム５２の表面は、スコロトロン型帯電器５３により一様に正帯電された後、スキャナユニット４０からのレーザビームの高速走査により露光され、所定の画像データに基づく静電潜像が形成される。次いで、現像ローラ５５の回転により、現像ローラ５５上に担持されかつ正帯電されているトナーが、感光体ドラム５２に対向して接触する時に、感光体ドラム５２の表面上に形成される静電潜像に供給される。
【００２８】
転写ローラ５４は、感光体ドラム５２の下方において、この感光体ドラム５２に対向するように配置され、ドラムカートリッジ５０に反時計方向に回転可能に支持されている。そして、感光体ドラム５２の表面上に担持された可視像は、用紙Ｗが感光体ドラム５２と転写ローラ５４との間を通る間に用紙Ｗに転写される。
【００２９】
定着ユニット４２は、プロセスユニット４１よりも用紙搬送方向下流側（後方側）に配設され、定着ユニット４２は転写された用紙上のトナーを加熱溶融させるための加熱ローラ６３と、給送される用紙を加熱ローラ６３に向けて押圧する押圧ローラ６４と、サーモスタット６５とを備えている。さらに加熱ローラ６３は、画像定着後の用紙Ｗを、ガイド部材６７，６８により形成される排紙パスを介して、排出ローラ６９まで搬送する。そして、排出ローラ６９は、送られてきた用紙Ｗを排紙トレイ２ａ上に排紙する。
【００３０】
（読取ユニット）
読取ユニット３は、画像読取装置４とＡＤＦ５とを備え、画像読取装置４は、画像形成ユニット２の排紙トレイ２ａの上方において、その下面４ｂが当該排紙トレイ２ａと対向し、この排紙トレイ２ａを覆うように配されている。
【００３１】
読取ユニット３は、フラットベッド方式のスキャナとして構成されており、このフラットベッド方式の構成では、ＡＤＦ５が後方に開くと、原稿台４ａが露出するようになっており（図２参照）、その原稿台４ａ上に本やその他の各種原稿を載置した状態で当該原稿に対する読み取りができるように構成されている。
【００３２】
なお、原稿の読取りは、原稿台４ａ上に原稿を載置して行う場合と、ＡＤＦ５を利用する場合とがある。原稿台４ａ上に原稿を載置して行う場合には、原稿の搬送方向に沿って延びる軸７９に沿って、かつ、原稿台４ａに沿ってＣＩＳ（コンタクトイメージセンサ）７１が移動され、その際に１ラインずつ、原稿台４ａ上に載置された原稿の読取りが行われる。また、一方、ＡＤＦ５を利用する場合には、ＣＩＳ７１が原稿台４ａの左端部側に移動され、その位置で保持されて、ＡＤＦ５により搬送される原稿の読取りが１ラインずつ行われるようになっている。なお、ＣＩＳ７１は、原稿を読み取る読取手段の一例に相当する。
【００３３】
なお、本実施形態に係る複合機１では、読取手段たるＣＩＳ７１が、自動原稿搬送装置５（以下「ＡＤＦ５」という）に準備される原稿の読み取りを、原稿台４ａに載置される原稿の読み取りよりも優先して行うように構成されている。
【００３４】
（電気的構成）
図４は、複合機及びこれに接続されるコンピュータを示すブロック図である。
複合機１は、各種の入力操作を受け付ける操作部６と、原稿の読取を行う画像読取装置４と、画像データに基づく画像形成を行う画像形成部２２とが制御部９０に接続されている。制御部９０は、ＲＯＭ、ＲＡＭ、ＮＶＲＡＭ（不揮発性メモリ）、ＣＰＵなどによって構成されている。さらに、電話回線等の通信回線に接続されるファクシミリインターフェース９４と、後述のコンピュータ２００に接続されるネットワークインターフェース９５とが制御部９０に接続されている。画像読取装置４は、上述の自動原稿搬送装置５（ＡＤＦ５）と、自動原稿搬送装置５に原稿がセットされたか否かを検出するセンサ１０１が設けられている。センサ１０１は、原稿搬送機構に原稿が準備されたか否かを検出する検出手段の一例に相当する。なお、センサ１０１は、原稿がセットされているか否かを検出できるものであればよく、例えば、光電センサなどの光学式センサや、原稿のセットに応じて部材が変位しその変位を読み取る機械式センサなどが挙げられる。
２．コンピュータ
次に、ネットワークインターフェース９５に接続されているコンピュータ２００について説明する。
コンピュータ２００は、ＣＰＵ２０３、ＲＯＭ２０４、ＲＡＭ２０５、ＨＤＤ（ハードディスクドライブ）２０６、インターフェース２０８、表示部２０１、マウスやキーボード等の操作部２０２からなる。
【００３５】
そして、ＨＤＤ２０６には、ワープロ等のアプリケーションプログラム（以下、アプリケーションとする）と、プリンタドライバ、図示しないＯＳなどが格納されている。アプリケーションは処理の実行時に、ＨＤＤ２０６からＲＡＭ２０５の所定の領域にロードされてＣＰＵ２０３によって実行される。これにより、操作部２０２を通じて入力操作を行うことで印刷対象となる文書を作成できる。
【００３６】
プリンタドライバには変換プログラムが含まれている。変換プログラムは、印刷指示内容をプリンタ言語に変換するためのプログラムであって、ＯＳを通じて印刷指令を受けると、アプリケーションにより作成された印刷データをＰＤＬデータに変換する展開（変換）処理を行う。そして、プリンタドライバによって生成されたＰＤＬデータはインターフェース２０８を通じて、上述の複合機１に送られることとなる。
【００３７】
次に、原稿読取処理について説明する。
図５は、原稿読取装置としての複合機１を制御するコンピュータ読取可能なプログラムの流れの一例を示すものであり、コンピュータ２００のＣＰＵ２０３に対して演算、加工等を行わせると共に複合機１を制御するドライバとして構成されるものである。
当該プログラムは、アプリケーションからの情報取得（アプリケーションの起動、アプリケーションからのプレスキャン動作の実行指示）に伴って実行されるものである。当該プログラムが起動されると、ＣＰＵ２０３は、アプリケーションがユーザインターフェースモード（以下、ＵＩモードともいう）であるか否かを判断する（Ｓ１０）。ユーザインターフェースモードである場合にはＳ１０にてＹＥＳに進み、そうでない場合にはＳ１０にてＮＯに進む。
【００３８】
ユーザインターフェースモードは、コンピュータとその利用者（ユーザ）の間での情報のやりとりが可能なモードであり、スキャン動作、プレスキャン動作がドライバ主導で実行されるモードである。したがって、後述するように、複合機１に対するスキャン動作、プレスキャン動作の指示は当該ドライバによって行われる。ユーザインターフェースモードでない場合（ノンユーザインターフェースモードの場合）には、プレスキャン動作がアプリケーション主導で行われる。
【００３９】
まず、アプリケーションがノンユーザインターフェースモードである場合について説明する。当該プログラムが起動され、アプリケーションがノンユーザインターフェースモードである場合、Ｓ１０にてＮＯに進み、アプリケーションからプレスキャンの実行指示がなされているか否か（若しくはアプリケーションが自動的にプレスキャンを実行するものであるか否か）を判断する（Ｓ９０）。実行指示がなされていない場合には、Ｓ９０にてＮＯに進み、当該処理を終了する。実行指示がなされている場合には、Ｓ９０にてＹＥＳに進み、Ｓ１００にてＡＤＦ５に原稿がセットされているか否かを判断する。
【００４０】
本実施形態では、上述のように、原稿の準備を検出するセンサ１０１が設けられておりこのセンサ１０１から検出信号が発せられている場合には、自動原稿搬送装置５（ＡＤＦ５）に原稿がセットされていると判断する。なお、アプリケーションがノンユーザインターフェースモードである場合、当該プログラムを起動するステップが、読取手段によるスキャン動作に先立って行われるプレスキャン動作の実行指示を取得する取得ステップに相当する。また、ノンユーザインターフェースモードである場合、Ｓ１００のステップが、プレスキャン動作の実行指示があった場合に検出手段により原稿の準備が検出されたか否かを確認する確認ステップに相当する。
【００４１】
Ｓ１００にて自動原稿搬送装置５（ＡＤＦ５）に原稿がセットされていると判断された場合、Ｓ１００にてＹＥＳに進み、Ｓ１１０にてアラート表示を行う。一方、Ｓ１００にて、自動原稿搬送装置５（ＡＤＦ５）に原稿がセットされていないと判断された場合、Ｓ１００にてＮＯに進む。Ｓ１１０では、図６のような画像をコンピュータ２００の表示部２０１に表示する。このアラート表示では、ＡＤＦ５に原稿がセットされていることを伝達すると共に、ＡＤＦを用いたプレスキャン動作を実行するか否かの選択を促す。そして、ユーザによって続行が選択（図６のＯＫボタン２１２が選択）された場合（即ち、ＡＤＦ５を用いたプレスキャン動作の実行が選択された場合）、Ｓ１２０にてＹＥＳに進み、アプリケーションに対してプレスキャン動作の許可を通知する（Ｓ１３０）。一方、ユーザによってキャンセルが選択（図６のキャンセルボタン２１１が選択）された場合には、アプリケーションに対してプレスキャン動作のキャンセルを通知する（Ｓ１４０）。アプリケーションは、ドライバから許可通知を取得した場合、プレスキャン動作を実施し、キャンセル通知を取得した場合には予定していたプレスキャン動作をキャンセルすることとなる。
【００４２】
ここでは、Ｓ１１０、Ｓ１２０が、確認ステップにて原稿の準備検出が確認された場合にプレスキャン動作の禁止処理をＣＰＵ２０３に実行させる禁止ステップに相当するものである。そのうち、Ｓ１１０は、表示部２０１に警告表示を行わせる警告表示ステップに相当し、Ｓ１１０は、確認ステップにて原稿の準備が確認された場合に、プレスキャン動作の実行前に、自動原稿搬送装置５を用いたプレスキャン動作を実行するか否かを選択する選択画面を表示部２０１に表示させる実行選択ステップに相当する。また、Ｓ１２０は、実行選択ステップにて実行が選択された場合、自動原稿搬送装置５を用いたプレスキャン動作の実行を許可する禁止解除ステップに相当する。また、Ｓ１００、Ｓ１３０は、確認ステップにて原稿の準備が確認されない場合にプレスキャン動作の許可処理をＣＰＵ２０３に実行させる許可ステップに相当する。
【００４３】
次に、アプリケーションがユーザインターフェースモードである場合について説明する。アプリケーションがユーザインタフェースモードである場合、Ｓ１０にてＹＥＳに進み、コンピュータグラフィックスとポインティングデバイスを用いて、直感的な操作を提供するＧＵＩ（Graphical User Interface）表示がなされる（Ｓ２０）。そのＧＵＩ表示では、スキャン動作と、プレスキャン動作とを選択する選択画面（図示略）が表示されるようになっており、「スキャン」「プレスキャン」というキーに加えその他のキーが表示され、ポインティングデバイスを用いて「スキャン」「プレスキャン」のいずれかが選択できるようになっている。
【００４４】
そして、「スキャン」キーが選択された場合には、Ｓ３０において１に進み、本スキャン動作を実行する（Ｓ４０）。具体的には、複合機１に対して本スキャン動作を実行させる実行指示情報を出力する。一方、「プレスキャン」キーが選択された場合にはＳ３０において２に進む。また、その他のキーが選択された場合には、その他のキーに対応する処理を実行すると共に、Ｓ３０に戻り、「スキャン」「プレスキャン」キーが選択されるまで待機する。
【００４５】
「プレスキャン」キーが選択された場合、Ｓ５０にて自動原稿搬送装置５（ＡＤＦ５）に原稿がセットされているか否かを判断する。上述のように、原稿の準備を検出するセンサ１０１が設けられており、センサ１０１から検出信号が発せられている場合には、自動原稿搬送装置５（ＡＤＦ５）に原稿がセットされていると判断する。プレスキャンキーが選択された場合において、Ｓ５０にて自動原稿搬送装置５（ＡＤＦ５）に原稿がセットされていると判断された場合、Ｓ５０にてＹＥＳに進み、Ｓ６０にてアラート表示を行う。一方、Ｓ５０にて自動原稿搬送装置５（ＡＤＦ５）に原稿がセットされていないと判断された場合、Ｓ５０にてＮＯに進む。
【００４６】
Ｓ６０では、図６のような画像をコンピュータ２００の表示部２０１に表示する。このアラート表示では、Ｓ１１０と同様に、ＡＤＦ５に原稿がセットされていることをユーザに伝達すると共に、ＡＤＦ５を用いたプレスキャン動作を実行するか否かの選択を促す。そして、ユーザによって続行が選択（図６のＯＫボタン２１２が選択）された場合（即ち、ＡＤＦ５を用いたプレスキャン動作の実行が選択された場合）Ｓ７０にてＹＥＳに進み、複合機１に対してプレスキャン動作の実行を指示する（Ｓ８０）。ここではユーザインターフェースモードであるため、当該ドライバ主導で複合機１に対してプレスキャン動作が実行指示される。
【００４７】
一方、ユーザによってキャンセルが選択（図６のキャンセルボタン２１１が選択）された場合には、Ｓ７０にてＮＯに進み、Ｓ３０に戻る。なお、ユーザによってキャンセルされた場合に当該処理を終了するようにしてもよい。
【００４８】
ここでは、Ｓ２０が、スキャン動作とプレスキャン動作とを選択する選択画面を表示手段に表示させる動作選択ステップの一例に相当する。また、Ｓ３０が、その動作選択ステップにてプレスキャン動作が選択されたか否かを判断する判断ステップの一例に相当する。さらに、Ｓ６０、Ｓ７０は、ユーザインターフェースモードにおける禁止ステップの一例に相当し、この禁止ステップは、判断ステップにてプレスキャン動作が選択されたと判断され、かつ確認ステップにて原稿の準備が確認された場合に実行されるようになっている。
【００４９】
以上のように、本実施形態に係る発明によれば、自動原稿搬送装置５（ＡＤＦ５）に原稿が準備された状態でプレスキャン動作の実行指示があった場合に、自動原稿搬送装置５の原稿についてプレスキャン動作が禁止される。従って、自動原稿搬送装置５に準備された原稿についてプレスキャン動作が実行されてしまうことによる弊害を効果的に防止できる。
【００５０】
また、表示部２０１に警告表示を行わせる警告表示ステップ（即ち、Ｓ６０、Ｓ１１０）を備えているため、プレスキャン動作を実行する際に自動原稿搬送装置５に原稿が準備されていたとしても、ユーザがそれを即座に察知でき、適切に対処しやすくなる。
【００５１】
また、禁止ステップは、確認ステップにて原稿の準備が確認された場合に、プレスキャン動作の実行前に、自動原稿搬送装置５を用いたプレスキャン動作を実行するか否かを選択する選択画面を表示部２０１に表示させる実行選択ステップ（即ち、Ｓ６０、Ｓ１１０）と、実行選択ステップにて実行が選択された場合、自動原稿搬送装置５を用いたプレスキャン動作の実行を許可する禁止解除ステップ（Ｓ７０、Ｓ８０及びＳ１２０、Ｓ１３０）と、を備えている。したがって、プレスキャン動作を実行する際に自動原稿搬送装置５に原稿が準備されていた場合に、プレスキャン動作を続行するか否かをユーザに判断させることができる。従って、ユーザにとって利便性の高い構成となる。
【００５２】
さらに、ユーザインターフェースモードにおいて、スキャン動作とプレスキャン動作とを選択する選択画面を表示部２０１に表示させる動作選択ステップ（Ｓ２０）と、動作選択ステップにてプレスキャン動作が選択されたか否かを判断する判断ステップ（Ｓ３０）とを備え、判断ステップにてプレスキャン動作が選択されたと判断され、かつ確認ステップ（Ｓ５０）にて原稿の準備が確認された場合に禁止ステップ（Ｓ６０、Ｓ７０）が実行されるようになっている。従って、当該プログラムによってプレスキャン動作の選択が把握できるため、プレスキャン動作選択時に原稿の準備が確認された場合に適切に禁止処理を行うことができる。
【００５３】
また、本実施形態に係る複合機１では、読取手段たるＣＩＳ７１が、自動原稿搬送装置５に準備される原稿の読み取りを、原稿台４ａに載置される原稿の読み取りよりも優先して行うように構成されている。このような構成の場合、自動原稿搬送装置５に原稿が準備された場合に優先してプレスキャン動作が実行されてしまうため不要なプレスキャン動作が行われやすくなる。本実施形態の構成ではでは、このような構成において不要なプレスキャン動作を効果的に防止でき、より一層有効である。
【００５４】
＜他の実施形態＞
本発明は上記記述及び図面によって説明した実施形態に限定されるものではなく、例えば次のような実施形態も本発明の技術的範囲に含まれる。
（１）本発明に係るプログラムは、実施形態１のように画像形成装置と外部接続されるコンピュータを実行させるプログラムに好適に用いることができるが、画像形成装置内に組み込まれたコンピュータを実行させるプログラムとしても適用できる。
（２）上記実施形態では、Ｓ６０、Ｓ７０或いは、Ｓ１１０、Ｓ１２０に示すように、プレスキャン動作を一旦禁止し、ユーザの許可を得てから実行する例を示したが、プレスキャン動作の実行指示があった場合において、検出手段により原稿の準備が検出された場合に、プレスキャン動作を完全に禁止してもよい。
【図面の簡単な説明】
【００５５】
【図１】本発明の実施形態１に係る複合機の外観を示す斜視図
【図２】図１の複合機について読取ユニットを開いた状態を示す斜視図
【図３】図１の複合機の要部側断面図
【図４】図１の複合機の電気的構成を例示するブロック図
【図５】原稿読取処理の一例を示すフローチャート
【図６】選択画面の表示例を示す説明図
【符号の説明】
【００５６】
１…複合機（画像読取装置）
４ａ…原稿台
５…自動原稿搬送装置（原稿搬送機構）
７１…コンタクトイメージセンサ（読取手段）
１０１…センサ（検出手段）
２０１…表示部（表示手段）
２０３…ＣＰＵ（制御手段）
【図１】
2007266913.tif 000003
【図２】
2007266913.tif 000004
【図３】
2007266913.tif 000005
【図４】
2007266913.tif 000006
【図５】
2007266913.tif 000007
【図６】
2007266913.tif 000008